(57)【特許請求の範囲】
【請求項１】
環状に形成されて剛性と弾性とを有するフレーム部材に擬毛を取り付けて環状の植毛フレームユニットが構成され、
少なくとも２個以上の上記環状の植毛フレームユニットが、上記フレーム部材及びこれと隣接する他の上記フレーム部材の細線同士を合わせて連結用チューブにて被覆することにより並列に連結され、上記各フレーム部材の前端部及び後端部が突出して幅方向に伸縮可能な植毛フレームが構成され、
上記植毛フレームを装着者の頭部へ載せて各環状の上記植毛フレームユニットの開口から自毛を引き出し、引き出した自毛を上記擬毛と絡み合わせて装着することを特徴とする、自毛活用型かつら。
【請求項２】
前記フレーム部材が、剛性と弾性とを有する１本の細線を環状に曲げて両端を連結するとともに、装着者の頭形状に沿って長さ方向に湾曲させることにより形成されることを特徴とする、請求項１に記載の自毛活用型かつら。
【請求項３】
前記フレーム部材が、剛性と弾性とを有する２本の細線の各端部同士を連結することにより環状に形成されるとともに、装着者の頭形状に沿って長さ方向に湾曲させて形成されることを特徴とする、請求項１に記載の自毛活用型かつら。
【請求項４】
前記細線が、剛性のある芯材の周りを弾性のチューブで被覆することにより構成されるとともに、該チューブが細線の両端部から突出しており、該チューブの突出部同士を連結することにより前記環状のフレーム部材としたことを特徴とする、請求項３に記載の自毛活用型かつら。
【請求項５】
両側部に位置する前記フレーム部材が頭部に固定可能である、請求項１乃至４の何れかに記載の自毛活用型かつら。
【請求項６】
前記環状に形成されるフレーム部材が幅方向に伸張しその際長さ方向に縮小するように形成され、両側端に位置するフレーム部材が前記植毛フレームを自毛に固定するストッパ部材をそなえ、該植毛フレームを幅方向に引っ張り、上記フレーム部材を幅方向に伸張させた状態で、ストッパ部材を自毛に固定して頭部に装着することを特徴とする、請求項５に記載の自毛活用型かつら。
【請求項７】
剛性と弾性とを有するＵ状又はＶ状のフレーム部材に擬毛を取り付けてＵ状又はＶ状の植毛フレームユニットが構成され、
少なくとも２個以上の上記Ｕ状又はＶ状の植毛フレームユニットが、上記フレーム部材及びこれと隣接する他の上記フレーム部材の細線同士を合わせて連結用チューブにて被覆することにより並列に連結され、全体が櫛状を呈して幅方向に伸縮可能な植毛フレームが構成され、
上記植毛フレームを自由端側から装着者の頭部へ差し込んで、自毛と擬毛とを絡み合わせて装着することを特徴とする、自毛活用型かつら。
【請求項８】
前記フレーム部材が、剛性と弾性とを有する１本の細線を中間部で屈曲させてＵ状又はＶ状に形成するとともに、装着者の頭形状に沿って長さ方向に湾曲させることにより形成されることを特徴とする、請求項７に記載の自毛活用型かつら。
【請求項９】
前記フレーム部材が、剛性と弾性とを有する２本の細線の各一端部を連結することによりＵ状又はＶ状に屈曲させるとともに、装着者の頭形状に沿って長さ方向に湾曲させて形成されることを特徴とする、請求項７に記載の自毛活用型かつら。
【請求項１０】
両側部にある前記Ｕ状又はＶ状のフレーム部材が頭部に固定可能である、請求項７乃至９の何れかに記載の自毛活用型かつら。
【請求項１１】
両側端にある前記Ｕ状又はＶ状のフレーム部材が、前記櫛状の植毛フレームを自毛に固定するストッパ部材をそなえていることを特徴とする、請求項１０に記載の自毛活用型かつら。
【請求項１２】
前記細線が、剛性のある芯材の周りを弾性のチューブで被覆することにより構成されていることを特徴とする、請求項１〜３，５〜１１の何れかに記載の自毛活用型かつら。
【請求項１３】
前記弾性のチューブが、前記細線の端部から突出していることを特徴とする、請求項１２に記載の自毛活用型かつら。
【発明の詳細な説明】
【０００１】
【発明の属する技術分野】
この発明は、頭髪（使用者の頭部に生えている毛髪で、以下、自毛と言う。）を植毛フレームの間から外方へ引き出して、植毛フレームに取り付けた擬毛と混合するようにした自毛活用型のかつらに関し、とくに、数多くの自毛を万遍なく容易に引き出すことができ、擬毛と引き出した自毛とを絡み合わせることにより自由なヘアスタイルをつくり出すことに優れるとともに、好みに応じたボリューム感を出すことができる自毛活用型かつらに関する。
【０００２】
【従来の技術】
従来のかつらは、一般に、かつらの全体形状を画成するかつらベースに多数の擬毛を植設して形成されるが、このうち自毛活用型のかつらは、かつらベースに複数の孔又は網目を形成して、その孔又は網目から自毛を引き出すようにしており、例えば図２４に示すように構成されている。
図２４に示す自毛活用型のかつら５０は、かつらベースとして目の粗い網地で形成したネット５１が使用されていて、そのネット形状は菱形状、矩形状或いは図示のような六角形状などのクロス目を有するものが知られている。
このようにクロスさせて縦横に配置したネット５１には、予め擬毛５２（図面には一部の毛髪だけが示されている。）が多数植設されている。ここで、擬毛の材料としては、一般に、人毛や合成繊維で作った人工毛髪が用いられ、本明細書ではかつらに取り付けるこのような毛髪材を擬毛と称している。
上記自毛活用型のかつらを頭部に取り付ける場合は、ネット５１の空間から整髪用ブラシなどを用いて自毛を引き出し、次いで引き出した自毛をかつらの擬毛５２と絡み合わせることにより、自毛を活用してかつら５０を装着する。
【０００３】
【発明が解決しようとする課題】
しかしながら、このように構成された自毛活用型のかつら５０においては、整髪用ブラシを用いて自毛を引き出す際に、自毛が縦横のネット５１に圧迫され、このうちの多くの自毛がネット５１のクロス目に挟まったままとなって、引出し作業を容易に行なうことができず、十分な量の自毛をクロス目の空間から引き出すことができない。
また、ブラシの櫛歯先端が網目内に入ると、引っかかりが発生しやすくなり、ブラシを引き抜き難く、無理にブラシを引き抜くと、無理な力が加わることになってネット５１が切れてしまったり、ブラシが破損したりすることがあった。
【０００４】
ところで、自毛活用型のかつらベースにあってはいずれも、ネット５１を縦横に張設してその状態を保持する必要があるため周縁枠部材５３が必須で、ネット５１によるかつらベースの周縁は、かつらの形状とサイズを画成する周縁枠部材５３によって補強されなければならない。この周縁枠部材５３は、かつらベースの型くずれを防ぐため、周縁部が幅広の布テープやレースで縁取りするか或いは樹脂コーティングなどで比較的肉厚に且つ剛性に縁取り形成されている。このように従来では、周縁枠部材５３はかつらベースにとって必須の構成部材とならざるを得ず、ネット５１及びこの周縁枠部材５３により使用者の自毛を押さえ付けるようにしてかつら５０を装着せざるを得なかった。
【０００５】
そのため、頭皮からの発汗作用が妨げられると共に、特に前額部においては、周縁枠部材５３が前額部の生え際に沿って横方向に配置されることになるため、もともと周縁枠部材５３が横線状に露顕し易い構造になっていることに加え、使用者の自毛の生え際がかつら５０と馴染まず、かつら５０の前縁が浮き上がり易く、不自然な状態になってしまうことから、かつらの周縁５４が視認されやすかった。とくに、周縁枠部材５３に植設されている擬毛５２は、ヘアスタイルによっては毛流方向が自毛の流れと大きく異なるため、擬毛５２と自毛とを絡み合わせて馴染ませることが難しく、パーマネント、アイロン、ドライヤーなどでカールをつけながら擬毛と自毛とを絡み合わせなければならない。
また、後頭部においては、かつら５０の周縁５４が浮き上がることによりかつら５０の擬毛５２と使用者の自毛との間で段差が生じて、その境目が周縁５４に沿って段状の横筋となって顕れ、かつらを装着していることが容易に視認されてしまう。
【０００６】
この発明は以上の点にかんがみて、周縁枠部材並びにネット或いは人工皮膚等の椀状又は帽子状のかつらベースを廃止することにより、周縁が容易に視認されることなく且つ容易に自毛を引き出すことができ、かつら装着者の自毛を万遍なく有効に利用し全体として毛量を豊かにし得るとともに、好みに応じた自由なヘアスタイルに整えることができる、自毛活用型のかつらを提供することを目的としている。
【０００８】
【課題を解決するための手段】
上記目的を達成するため、この発明の第１の態様による自毛活用型かつらは、環状に形成されて剛性と弾性とを有するフレーム部材に擬毛を取り付けて環状の植毛フレームユニットが構成され、少なくとも２個以上の上記環状の植毛フレームユニットが、上記フレーム部材及びこれと隣接する他の上記フレーム部材の細線同士を合わせて連結用チューブにて被覆することにより並列に連結され、各フレーム部材の前端部及び後端部が突出して幅方向に伸縮可能な植毛フレームが構成され、上記植毛フレームを装着者の頭部へ載せて各環状の植毛フレームユニットの開口から自毛を引き出し、引き出した自毛を上記擬毛と絡み合わせて装着するようにしたものである。
【００１０】
さらに、この発明の第２の態様による自毛活用型かつらは、剛性と弾性とを有するＵ状又はＶ状のフレーム部材に擬毛を取り付けてＵ状又はＶ状の植毛フレームユニットが構成され、少なくとも２個以上の上記Ｕ状又はＶ状の植毛フレームユニットが、上記フレーム部材及びこれと隣接する他の上記フレーム部材の細線同士を合わせて連結用チューブにて被覆することにより並列に連結され、全体が櫛状を呈して幅方向に伸縮可能な植毛フレームが構成され、上記植毛フレームを自由端側から装着者の頭部へ差し込んで、自毛と擬毛とを絡み合わせて装着することを特徴としている。
【００１１】
上記第１の形態に係る自毛活用型かつらにあっては、前記フレーム部材は、剛性と弾性を有する１本の細線を環状に曲げて両端を連結するとともに、装着者の頭形状に沿って長さ方向に湾曲させて形成することができる。或いは、剛性と弾性とを有する２本の細線の各端部同士を連結することにより環状に形成するとともに、装着者の頭形状に沿って長さ方向に湾曲させて形成するようにしてもよい。また、前記フレーム部材及びこれと連結される他のフレーム部材の細線同士を合わせて連結用チューブで被覆することにより、複数の植毛フレームユニットを順次並列に連結して植毛フレームとすることができる。好ましくは、環状に形成されるフレーム部材が幅方向に伸張しその際長さ方向に縮むように形成され、両側端に設けられるフレーム部材が植毛フレームを自毛に固定するストッパ部材をそなえ、該植毛フレームを幅方向に引っ張り、上記フレーム部材を幅方向に伸張させた状態で、ストッパ部材を自毛に固定して頭部に装着することができる。上記細線は、好ましくは、剛性のある芯材の周りを弾性のチューブで被覆することにより構成されるとともに、該チューブが細線の両端部から突出しており、該チューブの突出部同士を連結することにより前記環状のフレーム部材とすることができる。
【００１２】
次に、上記第２の形態に係る自毛活用型かつらにあっては、好ましくは、前記Ｕ状又はＶ状のフレーム部材が幅方向に広がることができる。上記フレーム部材は、剛性と弾性を有する１本の細線を中間部でＵ状又はＶ状に屈曲させるとともに、装着者の頭形状に沿って長さ方向に湾曲させて形成することができる。或いは、このフレーム部材を、剛性と弾性とを有する２本の細線の各一端部を連結することによりＵ状又はＶ状に屈曲させるとともに、装着者の頭形状に沿って長さ方向に湾曲させて形成することもできる。さらに、上記フレーム部材及びこれと連結する他のフレーム部材の細線同士を合わせて連結用チューブにて被覆することにより、複数のＵ状又はＶ状の植毛フレームユニットを順次並列に連結し、これにより櫛状の植毛フレームとしてもよい。上記両側端にある前記Ｕ状又はＶ状のフレーム部材は、好ましくは、前記櫛状の植毛フレームを自毛に固定するストッパ部材をそなえている。前記細線は、好ましくは、剛性のある芯材の周りを弾性のチューブで被覆されて構成され、さらに好ましくは、この弾性のチューブが、前記細線の端部から突出している。
【００１３】
【発明の実施の形態】
以下、図面を用いて本発明の実施形態を説明する。
図１及び図２は、それぞれ本発明の第一の実施形態に係る自毛活用型かつらを示す斜視図及び平面図である。この自毛活用型かつら（以下、単にかつらと称する場合がある。）は、頭部の所望の位置に載せて、植毛フレーム１０に取り付けられている擬毛１５と使用者の頭髪Ｈとを絡み合わせて装着するようになっており、装着に際して、植毛フレーム１０が幅方向に伸張することによって環状の空間Ｓが膨らみ、この空間Ｓから自毛Ｈを容易に引き出して擬毛１５と十分に絡ませることができる。
【００１４】
図１及び図２では、植毛フレーム１０の構造を分かり易く説明するために、植毛フレーム１０に取り付けた擬毛１５の描写を僅か数本だけ描くに止め大部分を省略しているが、擬毛１５は実際には、上方へ突出させて植毛フレーム１０の全体にわたって緻密に取り付けられている。なお、図１はかつらを使用者の頭部の適宜の位置に載せた状態を示しており、植毛フレーム１０の空間Ｓから１本の自毛Ｈが突出した状態が描かれている。実際は、使用者が本かつらを装着した状態で自毛Ｈの殆どを万遍なく引き出すことができる。このかつらは、図２において上側が例えば使用者の前額部に対応し下側が後頭部に対応しており、全体が使用者の頭部の例えば薄毛部分を覆う形状及びサイズとなるよう調整されている。
【００１５】
本発明の自毛活用型かつらは、図１及び図２に示すように、例えば、６個の環状の植毛フレームユニット１１を並列に連結することにより、横方向に環状の大きな目を並べたパターンを有する植毛フレーム１０として構成されており、両側の植毛フレームユニット１１，１１の最外側に一対のストッパ部材１９，１９が取り付けられて、自毛Ｈに挟着させるようになっている。
植毛フレームユニット１１は、環状に構成したフレーム部材１２とこのフレーム部材１２の一側から外方へ突出するよう全体にわたり緻密に取り付けた擬毛１５とで構成される。ここで、フレーム部材１２は、本実施の形態では、２本の湾曲した細線１３，１３の各両端を、弾性のチューブ又はキャップ等で成る連結部材１４を用いて連結することにより環状に、図示の例では横方向に木の葉状の大きな目を並べたパターンで、恰もカヌーのような輪郭と湾曲形状で前端及び後端が尖った楕円状に形成されている。
フレーム部材１２は、このように２本の湾曲した細線１３を環状になるよう連結するとともに、環状に連結した状態で、さらに膨出した頭部形状に沿うよう、２本の細線１３，１３が同一方向へなだらかな湾曲形状の輪郭をもって構成されている。
【００１６】
図３に示すように、上記フレーム部材１２は、湾曲した２本の細線１３の各両端部を連結する際に、一方の細線１３と他方の細線１３との間の距離が、２本の細線１３が連結されている部位１７（以下、交点と言う場合がある。）に近づくにつれて縮まるようにして、交点１７を連結して成形される。それにより、各細線１３，１３間には、自毛Ｈを挿通し得る比較的大きな開口Ｓ（図示の例では、木の葉状の輪郭を有する空間）が形成される。
【００１７】
図４及び図５は上記フレーム部材１２に用いる細線１３の詳細を示している。
図４に示すように、細線１３は、かつらを装着する頭部の形状に沿うように、長さ方向に沿って湾曲して形成されている。この細線１３は、本実施例では、図５に示すように、芯材１３ａとそのまわりを被覆する熱収縮性のチューブ１３ｂとにより二重構造で構成され、十分な弾性と剛性とを有し、形態復元力を備えている。
【００１８】
芯材１３ａは、使用者の頭皮を傷つけるおそれがなく、またドライヤ等の熱の影響を受けにくい材料、例えばナイロン（ポリアミド系合成繊維），ポリエステル等の合成樹脂材料，金属，紙，ゴム，木，竹，ネット，ガラス，カーボン等の弾性及び剛性を備えた材料から選択使用され、例えば直径０．１〜３．０ｍｍ程度のナイロン繊維の撚り線で形成することができる。この細線１３には多数の擬毛１５を取り付けるので、その全体重量に抗して頭部形状に沿った湾曲状態を維持できる程度の剛性と弾力性を有する材料で構成するのが好ましく、例えば頭皮の形状に沿って湾曲し、形態復元性に優れる形状記憶樹脂から構成し得る。
【００１９】
一方、熱収縮性チューブ１３ｂは、好ましくは、ポリオレフィン或いはポリエチレンなどの弾性のゴム質材料にて構成され、使用者の自毛の色又は頭皮の色など適宜の色彩に合わせて着色される。
この熱収縮性チューブ１３ｂは、１００℃〜１０５℃で少なくとも径方向に４０パーセント及びチューブの軸方向に大きくとも１５パーセントの熱収縮特性を有するものが好適であり、また、芯材１３ａは、熱収縮性チューブ１３ｂよりも変形温度が高いものを用いるのが好ましい。このような熱収縮性チューブ１３ｂをフレーム部材１２の表皮材として用いると、擬毛１５の取付けが容易に且つ確実に行うことができる。例えば、熱収縮性チューブ１３ｂに擬毛１５を植毛する際も植毛針を用いて容易に縫着し得るし、或いは巻回して取り付けても弾力性に富むので滑るようなこともなく、確実に取り付けることができる。
【００２０】
細線１３は、収縮される前の熱収縮性チューブ１３ｂに芯材１３ａを差し込んで、１００℃〜１０５℃の温度範囲で数十分程度加熱処理を施すことで、熱収縮性チューブ１３ｂが芯材１３ａに密着し、細線１３が形成される。
この場合、熱収縮性のチューブ１３ｂで２本の細線１３の連結した両端を全部被い隠すようにすると、フレーム部材１２の先端が頭皮を擦ったとしても傷つけるおそれがない。
このように、細線１３を、芯材１３ａとこれを覆う収縮性チューブ１３ｂとで形成すると、図３に示すように、細線１３の連結する交点１７において、熱収縮性チューブ１３ｂ同士をまとめて容易に連結することができ、高弾力性によりフレーム部材１２のパターンの変形が容易にできるので、収縮後の熱収縮性チューブ１３ｂの長さを芯材１３ａよりも長く突出させて形成するのが望ましい。
【００２１】
なお、細線１３が収縮性チューブ１３ｂの二重構造のもので構成される場合を例に説明したが、芯材１３ａのみで構成されていても良いことは勿論である。この場合、擬毛１５は芯材１３ａに縫着，結着，接着等により取り付けられる。
【００２２】
上記細線１３は、熱収縮性チューブ１３ｂの代わりに、例えば、図６に示すようにレーステープや組み紐などの布テープ１３ｃを芯材１３ａに巻き付けることにより構成してもよい。
【００２３】
細線１３の表皮材として、熱収縮性チューブ１３ｂや布テープ１３ｃの代わりに、シリコン，ウレタン素材などの他のフィルム状又は薄いシート状のテープを芯材１３ａに接着剤にて接着しながら巻いて形成してもよく、その場合、擬毛１５はこのテープに結着又は植設される。
【００２４】
また、フレーム部材１２を構成する細線の交点１７は図７（ａ）〜（ｄ）に示すように配置し連結することができる。すなわち、図７（ａ）に示すフレーム部材１２は、両細線１３の長さを合わせて連結するようにしており、（ｂ）ではずらして配置している。また、（ｃ）は、各細線１３が交差し且つ交点１７から外方へ突出する長さが同じ場合を示すが、（ｄ）では、交点１７から突出する長さが不一致のものが示されている。交点１７からさらに突出した部分を設ける場合は、この交点１７から外方へ向けて分岐した細線１３の間にも自毛が入り込むので、擬毛と自毛とが絡まる量がさらに増えて、植毛フレーム１０が露見されにくくなる。
【００２５】
フレーム部材１２に取り付ける擬毛１５としては、人毛や合成繊維で作った人工毛など、公知の種々の毛髪材料が制限無く用いられ、取り付ける擬毛１５の密度も適宜の本数に調整することができる。このようにして、フレーム部材１２に擬毛を取り付けることにより、単体の植毛フレームユニット１１が得られる。
本発明では、このような単体の環状の植毛フレームユニット１１を使用者の頭部の増毛しようとする領域に合わせて載せて、適宜のストッパ部材或いは接着具にて頭部に止着し、自毛Ｈを環状の植毛フレームユニット１１の周囲及び環状の内側空間Ｓから引き出して、擬毛１５と混ぜ合わせることにより、自毛活用型かつらとすることができる。
【００２６】
ここで、再び図１及び図２を参照すると、本実施例では、上記植毛フレームユニット１１を複数個、図示の場合は６個を並列に連結して自毛活用型かつらとしている。この連結は、図１に示すように、各環状のフレーム部材１２のそれぞれ接し合う２本の細線１３同士を連結用のチューブ１６に順次挿通させることにより行う。この連結用チューブ１６は連結部分の長さに応じた長さの上記したような熱収縮性のチューブを用いることができる。連結用チューブ１６にもその表面に擬毛１５が取り付けられる。
【００２７】
隣接する細線同士の連結を、上記連結用チューブ１６に代えて、接着或いは縫着などにより行ってもよい。図８に示すように、各フレーム部材１２，１２の、例えば互いに接する二カ所の接点１２ａで細線１３同士をナイロン糸などで緊縛して連結してもよく、或いは、各フレーム部材１２の基端部の一カ所の接点（１２ｂの位置）において、例えば細線同士を順次連結していけば、扇状に拡がったパターンの植毛フレームを形成することができる。
【００２８】
ここで、植毛フレーム１０は、図１及び図２に示すように、各フレーム部材１２の前端部及び後端部を突出させて木の葉状の環状に形成されており、連結用チューブ１６で中央部領域を連結されたフレーム部材１２同士は、長さ方向に行くにつれて離れる距離が広がり、そのため植毛フレーム１０の前端部及び後端部は鋸歯状の輪郭が形成される。したがって、これを頭部に装着した場合でも、直線状の線とならないので露見されにくい。
【００２９】
図１に示す植毛フレーム１０の両側部のフレーム部材１２には、ストッパ部材１９が設けられている。図示のストッパ部材１９は、かつらを頭部に取り付ける際に、自毛に絡んでかつらを使用者の頭部に固定させるものであり、例えば反転可能な基材に多数の櫛歯を設けた特公昭５４−１６７８５号公報に記載の挟着具が好適である。
【００３０】
上記ストッパ部材１９は、布ベース１８の裏側でこの布ベースに取り付けられていて、布ベース１８の端部が両側部のフレーム部材１２を構成する細線１３，１３にそれぞれ縫着，巻装等により固着されている。布ベース１８は、ナイロン或いはポリエステルなどで作製でき、好ましくは、その外方の面にも擬毛１５が取り付けられている。
【００３１】
上記ストッパ部材１９に代えて、両面テープや液状の医療用瞬間接着剤等を適用することにより、又は、自毛をフレーム部材１２を構成する細線１３に巻回させることにより、植毛フレームを使用者の頭部に固定するようにしてもよい。
【００３２】
上述のように構成される自毛活用型かつらの作用について説明する。
各フレーム部材１２は剛性と弾性を有する細線１３にて構成されることで、幅方向に伸張し、その際長さ方向に圧縮する。それゆえ、自毛活用型かつら全体としては、フレーム部材１２を幅方向に引っ張ると、図２の矢印Ａ方向に伸張し、各フレーム部材１２の２本の細線１３間の幅が広がり、開口Ｓを大きく広げるようになる。
【００３３】
このような植毛フレーム１０をそなえた自毛活用型かつらの装着の手順について説明すると、まず、図９に示すように、使用者は自毛活用型かつらを例えば前額部の生え際から数センチ程度後頭部寄りの位置に載せて位置合わせを行う。そして、植毛フレーム１０を図２に示すＡ方向（幅方向）に引っ張り、開口Ｓが所定の大きさになったら、使用者はストッパ部材１９を頭部の自毛Ｈに係止する。すると、植毛フレーム１０を構成するフレーム部材１２の各開口Ｓが伸張前より大きく開いた状態で頭部に固定される（図１０参照）。
【００３４】
この時点では、頭部の自毛Ｈは、植毛フレーム１０の下側に押さえられているので、使用者は、櫛やブラシ等の先端を開口Ｓ内から頭皮側へ挿し入れ、次いで自毛Ｈを引っかけて開口Ｓから外方へ引き出す。すると、フレーム部材１２に押さえられている自毛を除いた大部分の自毛Ｈが引き出されるとともに、植毛フレームの前端側及び後端側の鋸歯状の間隙からも引き出される。次いで、引き出された多量の自毛を、植毛フレームの擬毛１５とともにブラッシングして絡み合わせ、所望のヘアスタイルにすることで、自毛活用型かつらの装着が完了する。
【００３５】
このようにして自毛活用型かつらを装着すると、植毛フレーム１０の鋸歯状の輪郭の凹んだ部位から引き出された自毛Ｈが植毛フレーム１０自体を覆い隠し、また、突出したフレーム部材１２の先端部に取り付けられた擬毛１５が、自毛と絡み合ってその先端部を覆い隠すことになるので、自毛活用型かつらを装着していることが露顕することはない。
【００３６】
したがって、上記実施例による自毛活用型かつらによれば、環状に形成されているフレーム部材１２の開口Ｓから自毛が大量に引き出されて、擬毛１５とむらなく混ざり合うので、従来のかつらのような自毛と擬毛との分離を抑制できる。それゆえ、使用者がかつらを装着していることを外部から視認しづらくすることができるとともに、所望のヘアスタイルを長時間維持することができる。
【００３７】
また、植毛フレーム１０のとくに前端側では、前額部において突出部から後退部へと鋭角に切り込んでいるため大きな波状の輪郭が形成されるので、植毛フレーム１０の周縁が横断方向の線となって現れず、そのためかつらの装着状態が外部から視認されるおそれがない。
すなわち、従来のかつらのように周縁が直線状に形成されている場合には、かつらの縁に植毛されている擬毛と自毛との境界が毛流などの分離によりかつらであることが露見し易いが、上記実施形態に係る自毛活用型のかつらによれば、前端部が鋭角のジグザグ状に輪郭づけされているためその境界が直線的となっていないので、植毛フレーム１０の前端側の擬毛と自毛とが絡み合って、かつらの輪郭が完全に隠蔽されるとともに、自毛と馴染んでかつらを装着していることが分からず、自然なヘアスタイルを発現することができる。
【００３８】
また、従来のかつらのようにかつらベースが一定の形態に定まっているものでは、ストッパ部材はかつらベースの定位置に固定され位置の移動はできないが、本発明の自毛活用型かつらは、植毛フレーム１０が伸張することで自毛との係止位置を比較的自由に調節でき、頭皮と自毛への負担を軽減できる。
【００３９】
さらに、本発明の自毛活用型かつらは、細線１３のみを骨格として構成されているので、頭皮からの発汗作用、発毛促進を妨げることなく、通気性に優れることは言うまでもない。
また、細線１３は頭部形状に沿った湾曲状に自由に成形し得るので、使用者の装着箇所にぴったりと合って、違和感なく使用することができる。そして、フレーム部材１２の連結箇所をゴム質のチューブ１６で被覆すれば、頭皮を傷つけることなく、良好な装着感が得られる。
【００４０】
フレーム部材１２の前端及び後端部の連結部において、２本の細線が外装のチューブ１３ｂのみで連結されている場合には、その連結部を支点にフレーム部材１２を幅方向に広げ易くなる。また、芯材１３ａを備えた部分で連結させるよりも、伸張した際の復元力を弱くすることができるので、かつらの伸張の程度、即ち弾性力を適宜に調整でき、これにより開口Ｓの大きさを任意に調節して、自毛を引き出す量の調節も自由にできる。従って、装着者は擬毛に絡ませる自毛量を適宜に調節して、ヘアスタイルを多様に変化し得ることになる。
【００４１】
上記例では、フレーム部材１２が２本の細線１３をその長さ方向に並列して構成される場合を説明したが、図１１（ａ）に示すように、細線１３をそれぞれＵ状又はＶ状に折り曲げて、２本の細線の先端部同士を連結させて、環状に形成してもよく、植毛フレーム１０は、このようにして形成した複数の環状フレーム部材１２を並列に連結することにより構成される。ここで、図１１（ｂ）に示すように、フレーム部材１２の前端部及び後端部をＶ状に形成してもよい。この場合の環状は菱形のパターン形状となる。
【００４２】
また、環状フレーム部材１２は、図１２（ａ）に示す一本の細線１３1 と図１２（ｂ）に示すような短い細線１３2 を連結させて構成してもよい。
この場合、フレーム部材１２は、長い細線１３1 の両端部と短い２本の細線１３2 の一方の端部とを連結させて、図１２（ｃ）に示すように構成される。そして、植毛フレーム１０は、図１２（ｄ）に示すように、短い細線１３2 の他方の端部を他の細線１３1 と連結させる。このように構成された植毛フレーム１２においても、その幅方向に伸縮性をそなえる。
【００４３】
次に、本発明の第二の実施形態に係る自毛活用型かつらを説明する。
図１３に示す自毛活用型かつらは、環状のフレーム部材の代わりにＶ状のフレーム部材２２を複数そなえて構成され、このＶ状フレーム部材２２を多数組並行に連結することにより、全体形状が櫛状の植毛フレーム２０として形成されていることを特徴とする。
なお、以下の説明では、上記第一の実施形態の説明に用いた符号と同じ符号を付したものは、同一のものを示すので，それらの詳細な説明は省略する。
【００４４】
図１４に示すＶ状フレーム部材２２は、図３に示すフレーム部材１２の一方の先或いは後端が連結されることなく、開放端又は自由端として構成されている。
このＶ状フレーム部材２２は、図１４に示すように、２本の細線１３が一方の端部で連結され、他方の端部間が連結されずに構成されることで、開放端２３が形成されている。本実施形態のＶ状フレーム部材２２は基端部だけが連結されてＶ状になっており、開放端２３側は線材１３が平行に配置されているが、フレーム部材２２の全長にわたって２本の細線１３が幅方向に拡がるように、全体をＶ状に形成してもよい。
【００４５】
本実施形態の自毛活用型かつらは、図１４に示す複数のＶ状フレーム部材２２を多数並列に連結することにより、全体形状が櫛歯状の植毛フレーム２０として構成される。図示の例では、５組のＶ状フレーム部材２２の、平行に配置した隣り合う細線１３同士を纏めて長尺のチューブ１６で被覆することにより、両端を除く５組がそれぞれ２本の細線を一纏めに連結し、合計７本の櫛歯を備えるよう形成されている。なお、図１３及び図１４において、櫛歯状の植毛フレーム２０に取り付けられている擬毛の図示を省略している。
【００４６】
上述の如く構成される自毛活用型かつらを装着する場合、例えば、生え際から頭髪中に櫛先状に形成される開放端２３を頭皮を滑らすようにして差し込んで、頭部の所定箇所に位置合わせする（図１５参照）。
そして、使用者は、櫛やブラシ等の先端を各細線１３の隙間から頭皮に当て、自毛を引っかけて外方へ引き出して、使用者が擬毛と自毛をブラッシングして絡み合わせ、所望のヘアスタイルにすることでかつらの装着が完了する。
【００４７】
このように、本第二実施形態の自毛活用型かつらによれば、上記第一実施形態のかつらと同様の効果が得られる他、植毛フレームの全体形状が櫛状に形成されているので、櫛歯状の自由端２３を頭部の自毛間に差し込むことにより装着することができるので、装着が一層容易に行える。
【００４８】
なお、全体がＶ状に拡開しているフレーム部材２２を多数組連結する場合、互いに隣り合う基端部を順次連結していってもよい。この場合、植毛フレーム２０の全体は扇状に拡開したパターンが得られる。また、Ｖ状に拡開したフレーム部材２２の隣り合う自由端側を連結する場合は、複数のＷ状のパターンが幅方向に連なった植毛フレーム２０が得られることになり、何れも、装着者は所望のヘアスタイルにより適宜のパターンの植毛フレームを選択することができる。
【００４９】
次に、本発明の第三実施形態に係る自毛活用型かつらを説明する。
図１６は本発明の第二実施形態に係る自毛活用型かつらを示す斜視図であり、図１７は平面図を示す。いずれも、植毛フレーム３０を明瞭に表すために擬毛の図示を省略しているが、実際には植毛フレーム３０の全体にわたって所定の毛量及び毛流となるように、擬毛が植毛フレーム３０の一側に外方へ突出させて緻密に取り付けられている。
【００５０】
図１６及び図１７に示すかつらは、自毛を活用するかつらとしては図１に示すかつらと同じものであるが、かつらに比べて植毛フレーム３０が幅方向に大きく変化しないことを特徴とすることに加え、装着に際し、櫛と同様に自毛間に差し込んで取り付けることができるようにしたものである。
なお、上記説明に用いた符号と同じ符号を付したものは、同一又は同等の部材又は部分を示すので、それらの詳細な説明は省略する。
【００５１】
図１７において、自毛活用型かつらは上側が前額部に対応し下側が後頭部に対応するようにして装着され、全体が使用者の頭部の薄毛部分を覆う形状及びサイズで、全体が櫛状の植毛フレーム３０を構成し、両端に位置するフレーム部材３２には、自毛を挟着するためのストッパ部材１９が取り付けられている。
【００５２】
図１８にも示すように、この植毛フレーム３０に用いるフレーム部材３２は、Ｕ状に折り曲げた細線１３を用いている。
このＵ状フレーム部材３２は、１本の細線１３から構成され、細線１３の各先端部が平行配置されるように折り曲げられる。図１８に示すＵ状フレーム部材３２の折り曲げ箇所３２ａをＵ状に屈曲することなく、図１９に示すようにＶ状に屈曲すれば、前記第二実施形態のＶ状フレーム部材２２と同等になる。
このＵ状フレーム部材３２も、図４に示す細線１３と同様、その長さ方向に沿って、かつらを装着する頭部の形状に沿うように湾曲して形成されている。
【００５３】
Ｕ状フレーム部材３２を図１６及び図１７に示すように複数組並列に連結することにより、櫛歯状の植毛フレーム３０が構成される。
ここで、図２０は、図１７に示すＡ−Ａ端面を拡大した図であり、各Ｕ状フレーム部材３２同士の連結は、図１６，図１７及び図２０に示すように、２つのＵ状フレーム部材３２を長さ方向に並列に配置し、接し合う２本の細線１３を併せて連結用チューブ１６で被覆することで、隣り合う２つのフレーム部材３２が連結され、これを順次所望の組だけ連結していくことにより、装着者の希望するパターンの植毛フレーム３０が構成される。
なお、Ｕ状フレーム部材３２同士の連結は、連結用チューブ１６を用いる代わりに、前記した図８に示すような接着或いは縫着などにより行ってもよい。
【００５４】
上述の如く構成される自毛活用型かつらの装着手順については、前記した第二実施形態のものと同様であるので説明を省略する。
この自毛活用型かつらを装着する場合、図２１に示すように、櫛状の植毛フレーム３０を頭髪内に差し込むだけで、櫛の作用で自ずと十分な量の自毛が引き出せるので、装着が容易に行えるとともに、細線に取り付けられた擬毛と十分に絡み合って、自由なヘアスタイルが醸しだされる。
【００５５】
図１７及び図１８に示す植毛フレーム３０は、Ｕ状フレーム部材３２の細線１３が折り曲げ箇所から自由端に至るまで略平行に形成されているが、図２２に示すように、自由端を幅広にして全体が扇状に拡幅するよう形成してもよい。
【００５６】
また、植毛フレーム３０の各Ｕ状フレーム部材３２を連結用チューブ１６で連結することなく、図２３（ａ）及び（ｂ）にそれぞれ示すように、少なくとも１カ所の接点３２ａで細線１３同士を縛り付け、接着等により固着するようにしてもよい。細線同士をどの部位で固着するかにより、種々の異なるパターン形状を有する櫛歯状植毛フレーム３０が構成される。
【００５７】
上記各実施形態の説明では、自毛活用型かつらは、図１５及び図２１に示すように、植毛フレームの開放端２３，３３が後頭部側に位置するようにして装着する場合を例示したが、ヘアスタイルに応じて、例えば、開放端２３，３３が前額部側或いは側方になるように配置して使用してもよい。
【００５８】
本発明は、発明の趣旨を逸脱しない範囲において、様々な態様で実施できることは言うまでもない。例えば、植毛フレーム１０，２０，３０が備える各フレーム部材１２，２２，３２の個数は、使用者の毛量の度合い又は好みに応じて適当な数の組み合わせで用いることができる。
【００５９】
【発明の効果】
以上詳述したように、本発明の自毛活用型かつらによれば、従来のかつらに不可欠であったネット或いは人工皮膚等の椀状又は帽子状のかつらベースや、かつらの外形を画成する周縁枠部材を廃止することができるので、周縁が容易に視認されることなく、使用者がかつらを装着していることを外部から露見し難くすることができるとともに、極めて軽量で且つ通気性に優れたかつらを提供することができる。
また、合成及び弾性に富む細線で環状の或いはＵ状又はＶ状等のフレーム部材を形成し、これを１個或いは多数個を連接することにより植毛フレームとしたものを、本発明の自毛活用型かつらとしているので、使用者の好みに応じたサイズとし得るとともに、増毛しようとする程度に応じたボリューム感を出すことができる。また、細線と細線との間の開口又は隙間が大きいので、数多くの自毛を万遍なく容易に引き出すことができ、擬毛と引き出した自毛とを絡み合わせることにより好みに応じた自由なヘアスタイルに整えることができる。
さらに、本自毛活用型かつらによれば、環状又はＵ状，Ｖ状に形成されているフレーム部材の開口や隙間から自毛が引き出されて、擬毛とむらなく混ざり合うので、従来のかつらのような頭髪とかつらの擬毛との馴染みの調整が困難なために生じうる自毛と擬毛との分離が生じず、所望のヘアスタイルを長時間維持できる。また、上記フレーム部材は伸縮性を有するため、装着に際し、フレーム部材の開口領域の大きさを調整することができるので、開口から引き出す自毛量を自由に調整することができるなど、種々の効果を奏し得る。
【図面の簡単な説明】
【図１】本発明の第一実施形態に係る自毛活用型かつらを示す斜視図である。
【図２】第一実施形態に係る自毛活用型かつらの平面図である。
【図３】第一実施形態に用いる環状のフレーム部材を示す平面図である。
【図４】図４の環状フレーム部材に用いる細線を示す側面図である。
【図５】図４に示す細線のＡ−Ａ端面の拡大図を示す。
【図６】細線の他の例を示す一部側面図である。
【図７】（ａ）〜（ｄ）は、それぞれ第一実施形態に係る環状フレーム部材の２本の細線の各先端部を連結する構成を示す斜視図である。
【図８】第一実施形態に係る環状フレーム部材同士の連結構成を示す平面図である。
【図９】第一実施形態に係る自毛活用型かつらを頭部に装着した状態を示す斜視図である。
【図１０】第一実施形態に係る自毛活用型かつらの植毛フレームの構成を示す擬毛の取付を省略した平面図である。
【図１１】（ａ）は第一実施形態に係る自毛活用型かつらの環状フレーム部材の構成例を示す平面図であり、（ｂ）は前端及び後端がＶ状に形成されるフレーム部材を示す平面図である。
【図１２】（ａ）及び（ｂ）は、それぞれ第一実施形態に係る環状フレーム部材の要素を示す平面図、（ｃ）は環状フレーム部材の構成例を示す平面図、（ｄ）は植毛フレームの構成例を示す平面図である。
【図１３】第二実施形態に係る自毛活用型かつらの櫛状の植毛フレームを示す平面図である。
【図１４】図１３の植毛フレームに用いるＶ状のフレーム部材を示す平面図である。
【図１５】第二実施形態の自毛活用型かつらを頭部に装着した状態を示す斜視図である。
【図１６】第三実施形態に係る自毛活用型かつらの櫛状の植毛フレームを示す斜視図である。
【図１７】第三実施形態に係る植毛フレームの平面図である。
【図１８】第三実施形態に係る植毛フレームに用いるＵ状フレーム部材を示す平面図である。
【図１９】第三実施形態に係る植毛フレームに用いるフレーム部材の変形例を示す平面図である。
【図２０】図１７のＡ−Ａ端面を拡大した図である。
【図２１】第三実施形態に係る自毛活用型かつらを頭部に装着した状態を示す斜視図である。
【図２２】第三実施形態に係る植毛フレームの他の構成例を示す平面図である。
【図２３】（ａ）及び（ｂ）は、それぞれ第三実施形態に係る植毛フレームのさらに他の構成例を示す平面図である。
【図２４】従来の自毛活用型かつらを装着した状態を示す斜視図である。
【符号の説明】
１０，２０，３０      植毛フレーム
１１      植毛フレームユニット
１２      環状フレーム部材
１３      細線
１３ａ    芯材
１３ｂ    熱収縮性チューブ
１４      連結部材
１５      擬毛
１６      連結用チューブ
１７      細線の交点
１９      ストッパ部材
２１      Ｖ状植毛フレームユニット
２２      Ｖ状フレーム部材
２３，３３      開放端
３２      Ｕ状フレーム部材
３２ａ    Ｕ状フレーム部材同士の接点
Ｓ        開口
Ｈ        自毛
【図１】
0004650650.tif 000002
【図２】
0004650650.tif 000003
【図３】
0004650650.tif 000004
【図４】
0004650650.tif 000005
【図５】
0004650650.tif 000006
【図６】
0004650650.tif 000007
【図７】
0004650650.tif 000008
【図８】
0004650650.tif 000009
【図９】
0004650650.tif 000010
【図１０】
0004650650.tif 000011
【図１１】
0004650650.tif 000012
【図１２】
0004650650.tif 000013
【図１３】
0004650650.tif 000014
【図１４】
0004650650.tif 000015
【図１５】
0004650650.tif 000016
【図１６】
0004650650.tif 000017
【図１７】
0004650650.tif 000018
【図１８】
0004650650.tif 000019
【図１９】
0004650650.tif 000020
【図２０】
0004650650.tif 000021
【図２１】
0004650650.tif 000022
【図２２】
0004650650.tif 000023
【図２３】
0004650650.tif 000024
【図２４】
0004650650.tif 000025